(57)【要約】【課題】サイネージ装置等の電気機器の設置作業を簡素化する地上設置型変圧装置の天井板、地上設置型変圧装置、及び地上設置型変圧装置の施工方法を提供する。【解決手段】地上設置型変圧装置（１）の筐体（１２）に含まれる天井板（１２１）は、前記地上設置型変圧装置による変圧後の電圧を外部の電気機器へ供給する電力線を通すための孔を有する。【選択図】図３
2019213298.tif 000002
【特許請求の範囲】
【請求項１】
地上設置型変圧装置の筐体に含まれる天井板において、
前記地上設置型変圧装置による変圧後の電圧を外部の電気機器へ供給する電力線を通すための孔を有すること
を特徴とする天井板。
【請求項２】
外面上に配置され、前記孔を覆うカバーを更に備えること
を特徴とする請求項１に記載の天井板。
【請求項３】
前記地上設置型変圧装置に前記外部の電気機器を接続するための接続器と、
前記地上設置型変圧装置から前記外部の電気機器へ供給される電流を遮断する遮断器とを更に備え、
前記カバーは箱状であり、
前記接続器及び前記遮断器は、前記カバーの内部に配置されていること
を特徴とする請求項２に記載の天井板。
【請求項４】
前記地上設置型変圧装置に前記外部の電気機器を接続するための接続器と、
前記地上設置型変圧装置から前記外部の電気機器へ供給される電流を遮断する遮断器とを更に備え、
前記接続器及び前記遮断器は、内面に取付けられていること
を特徴とする請求項２に記載の天井板。
【請求項５】
変圧器を有し、外部の配電線に接続され、該配電線から供給される電圧を前記変圧器により変圧する地上設置型変圧装置において、
天井板を含む筐体を備え、
変圧後の電圧を外部の電気機器へ供給する電力線を通すための孔を有していない天井板と請求項１乃至４のいずれか一つに記載の天井板とを交換可能であること
を特徴とする地上設置型変圧装置。
【請求項６】
変圧器を有し、外部の配電線に接続され、該配電線から供給される電圧を前記変圧器により変圧する地上設置型変圧装置において、
筐体と、
前記変圧器による変圧後の電圧を外部の電気機器へ供給するための第１電力線と、
該第１電力線又は前記外部の電気機器に接続された第２電力線を通すために前記筐体に設けられた孔と、
前記筐体の外側に配置され、前記孔を覆うカバーと、
前記第１電力線に前記第２電力線を接続するための接続器と
を備えることを特徴とする地上設置型変圧装置。
【請求項７】
地上設置型変圧装置の筐体に含まれる天井板を、電力線を通す孔及び外部の電気機器を接続するための接続器を有する天井板と交換し、
前記地上設置型変圧装置による変圧後の電圧を供給するための電力線を前記接続器に接続すること
を特徴とする地上設置型変圧装置の施工方法。
【発明の詳細な説明】
【技術分野】
【０００１】
本発明は、地上設置型変圧装置に含まれる天井板、地上設置型変圧装置、及び地上設置型変圧装置の施工方法に関する。
【背景技術】
【０００２】
サイネージ装置は、街頭又は施設内等に設置され、ディスプレイに画像又は文字を表示することによって公衆に情報を提供する装置である。特許文献１には、サイネージ装置を地上設置型変圧装置の上に配置することが記載されている。地上設置型変圧装置は、街頭に設置されており、地下に配設された配電線から供給される高電圧を、家庭又は事業所等の需要家が利用可能な低電圧へ変圧するための装置である。地上設置型変圧装置は多くの場所に設置されているので、地上設置型変圧装置の上にサイネージ装置を配置することにより、多くの場所にサイネージ装置を設置することが可能となる。
【先行技術文献】
【特許文献】
【０００３】
【特許文献１】特開２０１８−１０２４１号公報
【発明の概要】
【発明が解決しようとする課題】
【０００４】
現状の地上設置型変圧装置は、外部の電気機器に対して電力を供給できる構成にはなっていない。特許文献１では、サイネージ装置は地上設置型変圧装置の天井板の上に配置されているだけであり、地上設置型変圧装置から電力を供給されていない。サイネージ装置は、独自に電力を取得するための機能が必要となり、構造が複雑である。このため、サイネージ装置の設置作業が複雑となる。また、地上設置型変圧装置からサイネージ装置へ電力を供給しようとしても、地上設置型変圧装置を改造する必要があるので、サイネージ装置の設置作業が複雑となる。
【０００５】
本発明は、斯かる事情に鑑みてなされたものであって、その目的とするところは、サイネージ装置等の電気機器の設置作業を簡素化する地上設置型変圧装置の天井板、地上設置型変圧装置、及び地上設置型変圧装置の施工方法を提供することにある。
【課題を解決するための手段】
【０００６】
本発明に係る天井板は、地上設置型変圧装置の筐体に含まれる天井板において、前記地上設置型変圧装置による変圧後の電圧を外部の電気機器へ供給する電力線を通すための孔を有することを特徴とする。
【０００７】
本発明においては、地上設置型変圧装置の天井板には、孔が設けられている。孔を通じて電力線が地上設置型変圧装置とサイネージ装置等の電気機器とに接続され、電気機器へ地上設置型変圧装置から電力が供給される。
【０００８】
本発明に係る天井板は、外面上に配置され、前記孔を覆うカバーを更に備えることを特徴とする。
【０００９】
本発明においては、天井板に設けた孔はカバーで覆われている。カバーは、孔を風雨から保護する。
【００１０】
本発明に係る天井板は、前記地上設置型変圧装置に前記外部の電気機器を接続するための接続器と、前記地上設置型変圧装置から前記外部の電気機器へ供給される電流を遮断する遮断器とを更に備え、前記カバーは箱状であり、前記接続器及び前記遮断器は、前記カバーの内部に配置されていることを特徴とする。
【００１１】
本発明に係る天井板は、前記地上設置型変圧装置に前記外部の電気機器を接続するための接続器と、前記地上設置型変圧装置から前記外部の電気機器へ供給される電流を遮断する遮断器とを更に備え、前記接続器及び前記遮断器は、内面に取付けられていることを特徴とする。
【００１２】
本発明においては、天井板に接続器及び遮断器が配置されている。電気機器に連結された電力線を接続器に接続することにより、地上設置型変圧装置に電気機器が接続され、電気機器へ地上設置型変圧装置から電力が供給される。遮断器により、過大な電力の供給が防止される。
【００１３】
本発明に係る地上設置型変圧装置は、変圧器を有し、外部の配電線に接続され、該配電線から供給される電圧を前記変圧器により変圧する地上設置型変圧装置において、天井板を含む筐体を備え、変圧後の電圧を外部の電気機器へ供給する電力線を通すための孔を有していない天井板と本発明に係る天井板とを交換可能であることを特徴とする。
【００１４】
本発明においては、地上設置型変圧装置は、電力線を通すための孔を有していない天井板と本発明に係る天井板とを交換可能になっている。天井板を交換することにより、電気機器へ電力を供給することができる地上設置型変圧装置を容易に実現することができる。
【００１５】
本発明に係る地上設置型変圧装置は、変圧器を有し、外部の配電線に接続され、該配電線から供給される電圧を前記変圧器により変圧する地上設置型変圧装置において、筐体と、前記変圧器による変圧後の電圧を外部の電気機器へ供給するための第１電力線と、該第１電力線又は前記外部の電気機器に接続された第２電力線を通すために前記筐体に設けられた孔と、前記筐体の外側に配置され、前記孔を覆うカバーと、前記第１電力線に前記第２電力線を接続するための接続器とを備えることを特徴とする。
【００１６】
本発明においては、地上設置型変圧装置は、電力線を通すための孔が筐体に設けられており、接続器を備える。地上設置型変圧装置で変圧された電圧を供給する第１電力線、又は電気機器に連結された第２電力線が孔を通り、接続器を介して第１接続線と第２接続線とが接続することにより、電気機器へ地上設置型変圧装置から電力が供給される。
【００１７】
本発明に係る地上設置型変圧装置の施工方法は、地上設置型変圧装置の筐体に含まれる天井板を、電力線を通す孔及び外部の電気機器を接続するための接続器を有する天井板と交換し、前記地上設置型変圧装置による変圧後の電圧を供給するための電力線を前記接続器に接続することを特徴とする。
【００１８】
本発明においては、地上設置型変圧装置の天井板を、孔及び接続器を有する天井板に交換し、地上設置型変圧装置で変圧された電圧を供給する電力線を接続器に接続する。これにより、電気機器へ電力を供給することができる地上設置型変圧装置を容易に実現することができる。
【発明の効果】
【００１９】
本発明にあっては、地上設置型変圧装置から電気機器へ容易に電力を供給することが可能となり、地上設置型変圧装置を利用するサイネージ装置等の電気機器の設置作業が簡素化する。このため、容易にサイネージ装置を多くの場所に設置することが可能となる等、本発明は優れた効果を奏する。
【図面の簡単な説明】
【００２０】
【図１】実施形態１に係る地上設置型変圧装置を模式的に示す斜視図である。
【図２】サイネージ装置が載置された地上設置型変圧装置を模式的に示す斜視図である。
【図３】実施形態１に係る地上設置型変圧装置の内部の構成例を示すブロック図である。
【図４】孔を設けていない天井板を備えた地上設置型変圧装置を模式的に示す斜視図である。
【図５】実施形態２に係る地上設置型変圧装置の内部の構成例を示すブロック図である。
【発明を実施するための形態】
【００２１】
以下本発明をその実施の形態を示す図面に基づき具体的に説明する。
（実施形態１）
図１は、実施形態１に係る地上設置型変圧装置１を模式的に示す斜視図である。地上設置型変圧装置１は、例えば、歩道に設置されている。地上設置型変圧装置１は、地下に配設された配電線４に高圧ケーブル４１を介して接続されている。配電線４は、変電所から電力を各地へ供給するための電線である。地上設置型変圧装置１は、配電線４から供給された電圧を、家庭又は事業所等の需要家が利用可能な電圧へ変圧する。地上設置型変圧装置１は、更に、需要家へ電力を供給するための電線である引込線５に低圧ケーブル５１を介して接続されている。引込線５は、地下に配設されており、需要家の有する電気機器に接続されている。地上設置型変圧装置１は、変圧後の電圧を、引込線５を通じて需要家へ供給する。
【００２２】
地上設置型変圧装置１は、天井板１２１を備えている。天井板１２１には、地上設置型変圧装置１を設置する際に用いられる吊り具を取り付けるための複数のねじ穴１２３が設けられている。ねじ穴１２３は天井板１２１を貫通していなくてもよい。天井板１２１の上には、サイネージ装置３が載置される。図２は、サイネージ装置３が載置された地上設置型変圧装置１を模式的に示す斜視図である。サイネージ装置３は、ねじ穴１２３を利用してボルトで固定される。地上設置型変圧装置１の上にサイネージ装置３を配置することにより、多くの場所にサイネージ装置３を設置することが可能となる。
【００２３】
図３は、実施形態１に係る地上設置型変圧装置１の内部の構成例を示すブロック図である。なお、図３は、地上設置型変圧装置１の各部分の位置を限定するものではない。地上設置型変圧装置１は、直方体状の筐体１２を有している。例えば、筐体１２は鋼板を組み合わせて構成されている。地上設置型変圧装置１の多くの部分が筐体１２内に配置されている。筐体１２には、天井板１２１と、扉１２２とが含まれている。扉１２２は、メンテナンス等の作業が必要なときに開放される。通常は扉１２２は閉鎖されている。また、筐体１２には、筐体１２の内部の空気を外部へ放出するための放出口（図示せず）が設けられている。
【００２４】
筐体１２の内部には、変圧器１１が配置されている。変圧器１１は、直方体状の変圧器タンク１１２と、変圧器タンク１１２内に絶縁油とともに収容された変圧器本体１１１とを含んで構成されている。変圧器タンク１１２には、放熱器１５が取り付けられている。放熱器１５は、熱を運ぶ流体が通流する通流路と、通流路を流れる流体の熱を放熱させる放熱板とを含んでいる。放熱器１５と変圧器タンク１１２の内部との間で、熱を運ぶ流体が循環するようになっている。流体は、例えば、変圧器タンク１１２内の絶縁油である。
【００２５】
地上設置型変圧装置１は、一次側開閉器１３を備えている。変圧器タンク１１２には、変圧器タンク１１２の側壁を貫通した高圧ブッシング（図示せず）が取り付けられている。高圧ブッシングの変圧器タンク１１２内にある一端は変圧器本体１１１の一次側に接続されており、高圧ブッシングの他端は一次側開閉器１３に接続されている。一次側開閉器１３は、電線が接続される一次側端子１３１を有している。一次側端子１３１は、一次側開閉器１３及び高圧ブッシングを介して変圧器本体１１１の一次側に接続されている。一次側端子１３１には、配電線４に接続された電線である高圧ケーブル４１が接続される。高圧ケーブル４１、一次側端子１３１、一次側開閉器１３及び高圧ブッシングを通じて、配電線４からの電圧が変圧器本体１１１の一次側へ供給される。
【００２６】
地上設置型変圧装置１は、分岐導体１４を備えている。変圧器タンク１１２には、変圧器タンク１１２の側壁を貫通した低圧ブッシング（図示せず）が取り付けられている。低圧ブッシングの変圧器タンク１１２内にある一端は変圧器本体１１１の二次側に接続されており、低圧ブッシングの他端は分岐導体１４に接続されている。分岐導体１４は、電線が接続される複数の二次側端子１４１を有している。二次側端子１４１は、分岐導体１４及び低圧ブッシングを介して変圧器本体１１１の二次側に接続されている。二次側端子１４１には、引込線５に接続された電線である低圧ケーブル５１が接続されている。
【００２７】
変圧器本体１１１は、一次側へ供給された電圧を変圧し、変圧後の電圧を二次側から低圧ブッシング、分岐導体１４及び二次側端子１４１を通じて低圧ケーブル５１へ供給する。変圧器本体１１１は、一次側へ供給された電圧を降圧する。例えば、三相２００Ｖ又は１００Ｖの電圧が生成される。変圧後の電圧は、低圧ケーブル５１及び引込線５を通じて需要家へ供給される。二次側端子１４１には、更に、サイネージ装置３へ電力を供給するための第１電力線１６が接続される。なお、第１電力線１６は、分岐導体１４を経由せずに低圧ブッシングに接続されてもよい。
【００２８】
天井板１２１には、第１電力線１６を通すための孔１７が設けられている。孔１７は、ねじ穴１２３とは異なる。孔１７は、天井板１２１を貫通している。天井板１２１の外面上には、孔１７を覆うカバー２が配置されている。カバー２は箱状である。地上設置型変圧装置１は、更に、遮断器２１及び接続器２２を備えている。遮断器２１は、例えばサーキットブレーカーである。接続器２２は、例えば、電気機器のプラグが接続されるソケットである。遮断器２１及び接続器２２は、天井板１２１の外面上に載置され、カバー２の内部に配置されている。カバー２は、孔１７、遮断器２１及び接続器２２を風雨から保護する。
【００２９】
孔１７を通った第１電力線１６は、遮断器２１に接続されている。遮断器２１は、第１電力線１６を通じて流れる電流が過大になった場合に、電流を遮断する。接続器２２は、遮断器２１に接続されている。このため、接続器２２には遮断器２１を介して第１電力線１６が接続されている。また、接続器２２には、サイネージ装置３に連結された第２電力線３１が接続される。接続器２２は、プラグのソケットへの挿入以外の方法で第２電力線３１が接続される構成であってもよい。カバー２には、第２電力線３１が通る孔２３が設けられている。カバー２には、開閉可能な蓋（図示せず）が設けられている。作業者は、蓋を開放し、孔２３に第２電力線３１を通し、第２電力線３１を接続器２２に接続する作業を行うことが可能である。変圧器本体１１１が変圧した電圧は、第１電力線１６、遮断器２１、接続器２２及び第２電力線３１を通じて、サイネージ装置３へ供給される。遮断器２１の働きにより、サイネージ装置３へ過大な電力が供給されることが防止される。なお、孔２３は、雨及び埃の侵入を防止するために密閉可能な構造を有していてもよい。例えば、孔２３は、開閉可能な蓋、又は孔２３と第２電力線３１との間の隙間を塞ぐ封止部材が設けられていてもよい。
【００３０】
図４は、孔１７を設けていない天井板１２４を備えた地上設置型変圧装置１を模式的に示す斜視図である。天井板１２４には、カバー２、遮断器２１及び接続器２２も配置されていない。地上設置型変圧装置１は、天井板１２４と天井板１２１とを交換することが可能になっている。既存の地上設置型変圧装置１は、天井板１２４を備えた形態となっている。
【００３１】
本実施形態に係る地上設置型変圧装置の施工方法を説明する。作業者は、図４に示す如き既存の地上設置型変圧装置１から天井板１２４を取り外し、天井板１２１を取り付ける。天井板１２１には、孔１７が設けられており、カバー２、遮断器２１及び接続器２２が備えられている。このため、天井板１２４を天井板１２１に交換することにより、孔１７、カバー２、遮断器２１及び接続器２２が地上設置型変圧装置１に備えられる。次に、作業者は、第１電力線１６の一端を二次側端子１４１に接続し、第１電力線１６を孔１７に通し、第１電力線１６の他端を遮断器２１に接続する。第１電力線１６が遮断器２１に接続されることにより、第１電力線１６は遮断器２１を介して接続器２２に接続される。施工の最中には、扉１２２が開放されてもよい。
【００３２】
このような施工により、第１電力線１６、孔１７、カバー２、遮断器２１及び接続器２２を備えた図１及び図３に示す如き地上設置型変圧装置１が得られる。更に、作業者は、天井板１２１の上にサイネージ装置３を設置し、第２電力線３１を接続器２２に接続する。地上設置型変圧装置１からサイネージ装置３へ電力が供給され、サイネージ装置３の動作が可能となる。このようにして、図２に示すごとき、地上設置型変圧装置１の上に設置されたサイネージ装置３が得られる。
【００３３】
以上詳述した如く、本実施形態においては、地上設置型変圧装置１の上に設置されたサイネージ装置３は、天井板１２１に設けられた孔１７を通った電力線を通じて、地上設置型変圧装置１から電力を供給されることができる。サイネージ装置３は、地上設置型変圧装置１からの電力を容易に利用することができる。天井板１２１の外面上に遮断器２１及び接続器２２が配置されているので、接続器２２に第２電力線３１を接続するだけで、サイネージ装置３は電力を取得することができる。サイネージ装置３には、独自に電力を取得するための機能が不必要となり、サイネージ装置３の構造が簡単になる。
【００３４】
また、本実施形態においては、既存の天井板１２４を、孔１７、カバー２、遮断器２１及び接続器２２を備えた天井板１２１へ交換し、第１電力線１６を接続器２２に接続することにより、サイネージ装置３へ電力を供給することができる地上設置型変圧装置１を実現する。既存の地上設置型変圧装置１を利用して、サイネージ装置３へ電力を供給することができる地上設置型変圧装置１を容易に実現することができる。接続器２２に第２電力線３１を接続するだけで、サイネージ装置３は動作可能となる。このように、サイネージ装置３の設置作業が簡素化する。設置作業が簡素化するので、容易にサイネージ装置３を多くの場所に設置することが可能となる。サイネージ装置３を多くの場所に設置することによって、災害に関する情報等の情報を広く提供することが可能となる。
【００３５】
（実施形態２）
図５は、実施形態２に係る地上設置型変圧装置１の内部の構成例を示すブロック図である。天井板１２１には、孔１７が設けられている。天井板１２１の外面には、孔１７を覆う箱状のカバー２が配置されている。カバー２は孔１７を風雨から保護する。遮断器２１及び接続器２２は、天井板１２１の内面上に配置されている。第１電力線１６は、遮断器２１に接続され、遮断器２１を介して接続器２２に接続されている。サイネージ装置３に連結された第２電力線３１は、カバー２の孔２３を通り、孔１７を通って、接続器２２に接続される。変圧器本体１１１が変圧した電圧は、第１電力線１６、遮断器２１、接続器２２及び第２電力線３１を通じて、サイネージ装置３へ供給される。地上設置型変圧装置１のその他の部分の構成は、実施形態１と同様である。なお、カバー２は、箱状ではなく板状であってもよい。
【００３６】
本実施形態においても、天井板１２４を天井板１２１へ交換し、第１電力線１６を接続器２２に接続することにより、サイネージ装置３へ電力を供給することができる地上設置型変圧装置１を実現することができる。また、接続器２２に第２電力線３１を接続するだけで、サイネージ装置３は電力を取得することができる。実施の形態１と同様に、サイネージ装置３には、独自に電力を取得するための機能が不必要となり、サイネージ装置３の構造が簡単になり、また、サイネージ装置３の設置作業が簡素化する。従って、容易にサイネージ装置３を多くの場所に設置することが可能となる。
【００３７】
なお、実施形態１及び２においては、天井板１２１に孔１７を設け、天井板１２１の上にカバー２を配置した形態を示したが、地上設置型変圧装置１は、筐体１２の側面に孔１７を設け、カバー２を筐体１２の側面の外側に配置した形態であってもよい。遮断器２１及び接続器２２は、天井板１２１の外面又は内面とは別の位置に配置されていてもよい。この形態においても、地上設置型変圧装置１からサイネージ装置３へ容易に電力を供給することが可能である。
【００３８】
また、実施形態１及び２においては、地上設置型変圧装置１の上にサイネージ装置３が配置された形態を示したが、地上設置型変圧装置１の上には、サイネージ装置３以外の電気機器が配置されてもよい。例えば、地上設置型変圧装置１の上に配置され、地上設置型変圧装置１から電力を供給される電気機器は、モバイル機器のバッテリの充電器、電動自転車の充電器、又は無線通信用の基地局であってもよい。
【００３９】
本発明は上述した実施の形態の内容に限定されるものではなく、請求項に示した範囲で種々の変更が可能である。即ち、請求項に示した範囲で適宜変更した技術的手段を組み合わせて得られる実施形態も本発明の技術的範囲に含まれる。
【符号の説明】
【００４０】
１  地上設置型変圧装置
１１  変圧器
１２  筐体
１２１、１２４  天井板
１２２  扉
１３  一次側開閉器
１３１  一次側端子
１４  分岐導体
１４１  二次側端子
１５  放熱器
１６  第１電力線
１７  孔
２  カバー
２１  遮断器
２２  接続器
３  サイネージ装置
３１  第２電力線
４  配電線
５  引込線
【図１】
2019213298.tif 000003
【図２】
2019213298.tif 000004
【図３】
2019213298.tif 000005
【図４】
2019213298.tif 000006
【図５】
2019213298.tif 000007
【手続補正書】
【提出日】令和1年9月2日(2019.9.2)
【手続補正１】
【補正対象書類名】明細書
【補正対象項目名】０００６
【補正方法】変更
【補正の内容】
【０００６】
本発明に係る天井板は、地上設置型変圧装置の筐体に含まれる天井板において、前記地上設置型変圧装置による変圧後の電圧を外部の電気機器へ供給する電力線を通すための孔と、外面上に配置され、前記孔を覆うカバーと、前記地上設置型変圧装置に前記外部の電気機器を接続するための接続器と、前記地上設置型変圧装置から前記外部の電気機器へ供給される電流を遮断する遮断器とを備え、前記カバーは箱状であり、前記接続器及び前記遮断器は、前記カバーの内部に配置されていることを特徴とする。
本発明に係る天井板は、地上設置型変圧装置の筐体に含まれる天井板において、前記地上設置型変圧装置による変圧後の電圧を外部の電気機器へ供給する電力線を通すための孔と、外面上に配置され、前記孔を覆うカバーと、前記地上設置型変圧装置に前記外部の電気機器を接続するための接続器と、前記地上設置型変圧装置から前記外部の電気機器へ供給される電流を遮断する遮断器とを備え、前記接続器及び前記遮断器は、内面に取付けられていることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
本発明に係る地上設置型変圧装置は、変圧器を有し、外部の配電線に接続され、該配電線から供給される電圧を前記変圧器により変圧する地上設置型変圧装置において、天井板を含む筐体を備え、変圧後の電圧を外部の電気機器へ供給する電力線を通すための孔を有していない天井板と本発明に係る天井板とを交換可能であることを特徴とする。
本発明に係る地上設置型変圧装置は、変圧器を有し、外部の配電線に接続され、該配電線から供給される電圧を前記変圧器により変圧する地上設置型変圧装置において、天井板を含む筐体を備え、変圧後の電圧を外部の電気機器へ供給する電力線を通すための孔を有していない天井板と、前記変圧後の電圧を外部の電気機器へ供給する電力線を通すための孔を有している天井板とを交換可能であることを特徴とする。
本発明に係る地上設置型変圧装置は、前記孔を有している天井板は、当該天井板の外面上に配置され、前記孔を覆うカバーを更に有することを特徴とする。
【手続補正６】
【補正対象書類名】明細書
【補正対象項目名】００１５
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
地上設置型変圧装置の筐体に含まれる天井板において、
前記地上設置型変圧装置による変圧後の電圧を外部の電気機器へ供給する電力線を通すための孔と、
外面上に配置され、前記孔を覆うカバーと、
前記地上設置型変圧装置に前記外部の電気機器を接続するための接続器と、
前記地上設置型変圧装置から前記外部の電気機器へ供給される電流を遮断する遮断器とを備え、
前記カバーは箱状であり、
前記接続器及び前記遮断器は、前記カバーの内部に配置されていること
を特徴とする天井板。
【請求項２】
地上設置型変圧装置の筐体に含まれる天井板において、
前記地上設置型変圧装置による変圧後の電圧を外部の電気機器へ供給する電力線を通すための孔と、
外面上に配置され、前記孔を覆うカバーと、
前記地上設置型変圧装置に前記外部の電気機器を接続するための接続器と、
前記地上設置型変圧装置から前記外部の電気機器へ供給される電流を遮断する遮断器とを備え、
前記接続器及び前記遮断器は、内面に取付けられていること
を特徴とする天井板。
【請求項３】
変圧器を有し、外部の配電線に接続され、該配電線から供給される電圧を前記変圧器により変圧する地上設置型変圧装置において、
天井板を含む筐体を備え、
変圧後の電圧を外部の電気機器へ供給する電力線を通すための孔を有していない天井板と請求項１又は２に記載の天井板とを交換可能であること
を特徴とする地上設置型変圧装置。
【請求項４】
変圧器を有し、外部の配電線に接続され、該配電線から供給される電圧を前記変圧器により変圧する地上設置型変圧装置において、
天井板を含む筐体を備え、
変圧後の電圧を外部の電気機器へ供給する電力線を通すための孔を有していない天井板と、前記変圧後の電圧を外部の電気機器へ供給する電力線を通すための孔を有している天井板とを交換可能であること
を特徴とする地上設置型変圧装置。
【請求項５】
前記孔を有している天井板は、当該天井板の外面上に配置され、前記孔を覆うカバーを更に有すること
を特徴とする請求項４に記載の地上設置型変圧装置。
【請求項６】
地上設置型変圧装置の筐体に含まれる天井板を、電力線を通す孔及び外部の電気機器を接続するための接続器を有する天井板と交換し、
前記地上設置型変圧装置による変圧後の電圧を供給するための電力線を前記接続器に接続すること
を特徴とする地上設置型変圧装置の施工方法。